(57)【要約】  第１パターンで第１糸インターレーシングにより作られ、第１平均細孔寸法を有する第１ファブリック細孔を含む第１ファブリック部分を有するファブリック。このファブリックはまた、第２パターンで第２糸インターレーシングにより作られ、第２平均細孔寸法を有する第２ファブリック細孔を含む第２ファブリック部分を含む。前記第１糸インターレーシングの数は、前記第２糸インターレーシングの数よりも多い。前記第１ファブリックは、前記第２ファブリックに強度を提供する。前記第１ファブリックパターンは、第２細孔糸が破断された場合に、第２細孔糸のほぐれを緩和するように設計されている。【選択図】図１Ｄ
2016518533.tif 000002
【特許請求の範囲】
【請求項１】
第１パターンで第１糸インターレーシングにより作られ、第１平均細孔寸法を有する第１ファブリック細孔を含む第１ファブリック部分と、
第２パターンで第２糸インターレーシングにより作られ、第２平均細孔寸法を有する第２ファブリック細孔を含む第２ファブリック部分と、含み、前記第１糸インターレーシングの数は、前記第２糸インターレーシングの数よりも多く、
前記第１ファブリック部分と前記第２ファブリック部分の間に作られた境界をさらに含み、
前記第１糸インターレーシングは、前記第２糸インターレーシングの強度を高め、ほつれの潜在的危険を減少させる、ファブリック。
【請求項２】
前記第１ファブリック部分は、前記第２ファブリック部分を取り囲んでいる、請求項１に記載のファブリック。
【請求項３】
前記第１平均細孔寸法は、前記第２平均細孔寸法より少なくとも１００％小さい、請求項１に記載のファブリック。
【請求項４】
前記第１ファブリック部分の重量よりも少なくとも５０％大きい、請求項１に記載のファブリック。
【請求項５】
前記第１ファブリック部分の厚さは、前記第２ファブリック部分の厚さよりも少なくとも１０％大きい、請求項１に記載のファブリック。
【請求項６】
前記第１ファブリック部分の破裂強度は、前記第２ファブリック部分の破裂強度よりも少なくとも５０％大きい、請求項１に記載のファブリック。
【請求項７】
前記第１糸インターレーシングの数は、前記第２糸インターレーシングの数よりも少なくとも５０％多い、請求項１に記載のファブリック。
【請求項８】
前記第１ファブリック部分の開放領域のパーセンテージは、前記第２ファブリック部分の開放領域のパーセンテージより約７％小さい、請求項１に記載のファブリック。
【請求項９】
前記ファブリックは、編み物である、請求項１に記載のファブリック。
【請求項１０】
前記ファブリックは、織物である、請求項１に記載のファブリック。
【請求項１１】
第１パターンで第１糸インターレーシングにより作られ、第１平均細孔寸法を有する第１ファブリック細孔を含む第１ファブリック部分を作り、
第２パターンで第２糸インターレーシングにより作られ、第２平均細孔寸法を有する第２ファブリック細孔を含む第２ファブリック部分を作り、前記第１糸インターレーシングの数は、前記第２糸インターレーシングの数よりも多く、
それによって、前記第１糸インターレーシングは、前記第２糸インターレーシングの強度を高め、ほつれの潜在的危険を減少させる、補強されたメッシュファブリックを作る方法。
【請求項１２】
前記第１ファブリック部分は、前記第２ファブリック部分を取り囲んでいる、請求項１１に記載の方法。
【請求項１３】
前記第１平均細孔寸法は、前記第２平均細孔寸法より少なくとも１００％小さい、請求項１１に記載の方法。
【請求項１４】
前記第１ファブリック部分の重量よりも少なくとも５０％大きい、請求項１１に記載の方法。
【請求項１５】
前記第１ファブリック部分の厚さは、前記第２ファブリック部分の厚さよりも少なくとも１０％大きい、請求項１１に記載の方法。
【請求項１６】
前記第１ファブリック部分の破裂強度は、前記第２ファブリック部分の破裂強度よりも少なくとも５０％大きい、請求項１１に記載の方法。
【請求項１７】
前記第１糸インターレーシングの数は、前記第２糸インターレーシングの数よりも少なくとも５０％多い、請求項１１に記載の方法。
【請求項１８】
前記第１ファブリック部分の開放領域のパーセンテージは、前記第２ファブリック部分の開放領域のパーセンテージより約７％小さい、請求項１１に記載の方法。
【請求項１９】
前記ファブリックは、編み物である、請求項１１に記載の方法。
【請求項２０】
前記ファブリックは、織物である、請求項１１に記載の方法。
【発明の詳細な説明】
【技術分野】
【０００１】
本願に記載されている実施形態は、補強されたインターレース、および、少なくとも２つの異なる縫いまたは織りパターンによって作られた少なくとも２つの異なる平均細孔寸法を有するファブリックに関する。
【背景技術】
【０００２】
医療用テキスタイルは、外部適用、並びに、内部および移植適用の両方のために多数の適用例で使用されている。今日、技術の前進および健康管理費用の増加により、低侵襲技術を使用して、より多くの医療および外科処置が行われている。これには、内視鏡或いは他の低侵襲性器具のパラメータ内で患者を見、診査し、および、患者に外科処置を施すための内視鏡等の使用が含まれる。
【０００３】
かかる適用例では、低侵襲性処置は、大きな圧縮ができる処置の器具および他の構成要素を必要とする。これは、構成要素がカテーテルを通して処置部位に移動することを可能にすることである。さらに、構成要素は、一旦所定位置に到達したならば、設計されたように機能するように巻き解き或いはその他の仕方で元の状態に除圧されるように設計されなければならない。
【０００４】
これに関して、低侵襲性処置の多くの構成要素は、所定の目的のために使用される特定の処置または器具の必要を満たすように特別に適合される。例えば、或る診査処置では、捕獲デバイスを使用して組織試料を封入し、封入された組織試料は、一旦身体から回収されると、外科医によって分析される。すべての場合において、材料は重量が非常に軽くかつ比較的薄く、或いは、カテーテルを経て移動するために薄い輪郭に圧縮することができなければならない。さらに、構成要素は、それらの軽量性がそれらの一体性を減じないように、設計されたように機能するのに十分強くなければならない。これらの２つの特性は、各々が他方に妥協するように設計するのが困難である。強いように設計されたファブリックは、典型的には重量が重く、嵩張る。反対に、重量が軽く、カテーテルを経て移動するために薄い輪郭を取ることができるファブリックは、典型的には強くなく、張力下でよく耐えない。
【０００５】
低侵襲適用例で使用される材料およびテキスタイル構成要素では、もう１つの問題は、構造のほぐれまたはほつれの問題である。これは大変開放したメッシュまたはネットについて特にあてはまる。弛んだ糸を有し、または、ファブリックをほぐれさせることは望ましくない。弛んだ糸は、例えば、動脈または静脈の修復に関する適用例で、通路を塞ぐことがある。加えて、テキスタイル構成要素のほぐれは、構造的一体性、および、究極的には、構成要素または装置の機能を悪化させることがある。
【０００６】
１つの特許は、“Warped knitted Carotid Patch Having Finished Selvage Edges”という名称の米国特許第5,456,711号においてほつれまたはほぐれの問題に対処している。この特許は、所定の幅の編みメッシュパッチに仕上がり縁を設けることによって切断の必要を解消し、かくして、ほつれまたはほぐれの問題をなくしている。
【０００７】
設計されたように機能し、糸のほつれまたはほぐれを防止するのに必要な一定レベルの強度を維持しながら、カテーテルを経て移動するための薄い輪郭を取ることができる重量が軽いファブリックを提供することが望ましい。本願で記載されるほつれという用語は、より少なく集中されたインターレーシングまたは節点の領域から張力を吸収し、縫い目が弛みまたはほどける潜在的な危険を減らすより多く集中されたインターレーシングまたは節点の領域におけるファブリックの能力に言及する。
【０００８】
さらに、製造目的のために切断することができ、ほつれまたはほぐれの潜在的な危険を減らすことができる低侵襲性処置で使用できるファブリックを提供することが望ましい。
【発明の概要】
【０００９】
本願で記載される実施形態は、第１パターンで第１糸インターレーシングにより作られ、第１平均細孔寸法を有する第１ファブリック細孔を含む第１ファブリック部分を有するファブリックに関する。このファブリックはさらに、第２パターンで第２糸インターレーシングにより作られ、第２平均細孔寸法を有する第２ファブリック細孔を含む第２ファブリック部分を含む。前記第１糸インターレーシングの数は、前記第２糸インターレーシングの数よりも多い。前記第１糸インターレーシングは、前記第２糸インターレーシングの強度を高め、ほつれの潜在的危険を減少させる。
【００１０】
本願で記載される実施形態のファブリックは、第１ファブリック部分が第２ファブリック部分を取り囲むことができる構成を有する。
【００１１】
本願で記載される実施形態のファブリックは、第１ファブリック部分と第２ファブリック部分との間で平均細孔寸法の差を有するのがよく、その差は、少なくとも少なくとも１００％である。
【００１２】
本願で記載される実施形態のファブリックは、第１ファブリック部分と第２ファブリック部分との間で重量の差を有するのがよく、その差は、少なくとも５０％である。
【００１３】
本願で記載される実施形態のファブリックは、第１ファブリック部分と第２ファブリック部分との間で厚さの差を有するのがよく、その差は、少なくとも１０％である。
【００１４】
本願で記載される実施形態のファブリックは、第１ファブリック部分と第２ファブリック部分との間で破裂強度の差を有するのがよく、その差は、少なくとも５０％である。
【００１５】
本願で記載される実施形態のファブリックは、第１ファブリック部分と第２ファブリック部分との間でインターレーシングの数の差を有するのがよく、前記第１糸インターレーシングの数は、前記第２糸インターレーシングの数よりも少なくとも５０％多い。
【００１６】
本願で記載される実施形態のファブリックは、第１ファブリック部分と第２ファブリック部分との間で開放領域のパーセンテージの差を有するのがよく、前記第１ファブリック部分の開放領域のパーセンテージは、前記第２ファブリック部分の開放領域のパーセンテージより約７％小さいのがよい。
【００１７】
本願で記載される実施形態のファブリックは、編み物または織物であるのがよい。本願で記載される実施形態はさらに、第１パターンで第１糸インターレーシングにより作られ、第１平均細孔寸法を有する第１ファブリック細孔を含む第１ファブリック部分を作り、
第２パターンで第２糸インターレーシングにより作られ、第２平均細孔寸法を有する第２ファブリック細孔を含む第２ファブリック部分を作り、前記第１糸インターレーシングの数は、前記第２糸インターレーシングの数よりも多く、それによって、前記第１糸インターレーシングは、前記第２糸インターレーシングの強度を高め、ほつれの潜在的危険を減少させる、補強されたメッシュファブリックを作る方法を提供する。
【００１８】
本願で記載される実施形態の目的、特徴、および、利点は、図面および特許請求の範囲と一緒に以下の詳細な説明を読むときにより明らかになるであろう。
【図面の簡単な説明】
【００１９】
【図１Ａ】第１実施形態のファブリックの正面図である。
【図１Ｂ】図１Ａの実施形態の縮小図である。
【図１Ｃ】図１Ａの実施形態の拡大図である。
【図１Ｄ】図１Ｃの概略図である。
【図１Ｅ】横方向に沿った第１細孔と第２細孔の境界における図１Ａの拡大図である。
【図１Ｆ】図１Ｅの概略図である。
【図１Ｇ】縦方向に沿った第１細孔と第２細孔の境界における図１Ａの拡大図である。
【図１Ｈ】図１Ｇの概略図である。
【図２Ａ】代表的な第１細孔の拡大図である。
【図２Ｂ】代表的な第２細孔の拡大図である。
【図３】第２実施形態の正面図である。
【図４】図３の実施形態のためのスレッディングレイアウトのダイアグラム図である。
【図５】図３の実施形態のための案内バー移動のダイアグラム図である。
【図６】図３の拡大図である。
【図７】第３実施形態の正面図である。
【図８】第４実施形態の正面図である。
【発明を実施するための形態】
【００２０】
同じ番号は、いくつかの図に亘って同じ部分を指示する図面を参照すると、図１Ａは、第１部分１２および第２部分１４の第１実施形態１０を示している。第１実施形態は、者フィラメントＰＥＴ糸でできた編みメッシュである。第１部分１２は、第１縫いパターンを使用して作られており、第１細孔１６を形成する。第２部分１４は、第２縫いパターンを使用することによって形成され、第２細孔１８を形成する
【００２１】
第１実施形態１０のために使用される特定の縫いパターンは、以下のように示される。
案内バー１＝(2-1/1-2/2-10/1-2/2-2/2-3)x17 (2-1/1-0/1-3)x12
案内バー２＝(1-2/2-1/1-3/2-1/1-2/2-1/1-0)x17 (1-2/2-3/2-1/1-0)x12
案内バー３＝(2-1/1-0/1-2/2-3)x46
案内バー４＝(1-2/2-3/2-1/1-0)x46
【００２２】
任意の数の縫いパターンを使用して本願に記載されているファブリックを作ることができ、上記の縫いパターンは、いかなる仕方でも実施形態の範囲を限定することを意図するものではないことに留意すべきである。当業者は理解するように、縫いパターンを変更してファブリックを作ることができ、ここで、寸法形状は変更する必要があるかもしれないが、ファブリックの機能は実質的に同じままである。図１Ｂは、第１実施形態１０の縮小図であり、第１部分１２および第２部分１４を示している。図１Ｃは、第１実施形態の更に拡大された図であり、特に、第１部分１２と第２部分１２が境界で接する隅部を示している。図１Ｄは、図１Ｃのコンピュータで作られた図である。図１Ｅは、横方向に沿った第１部分１２と第２部分１４の境界における第１実施形態１０の拡大図である。図１Ｆは、図１Ｅのコンピュータで作られた図である。図１Ｇは、縦方向に沿った第１部分１２と第２部分１４の境界における第１実施形態の拡大図である。図１Ｈは、図１Ｇのコンピュータで作られた図である。
【００２３】
一般的には、細孔は、メッシュの編みピラーと編みピラーの間に作られた開口として定義される。各ピラーは１針で形成されたループからなる。各編みピラー内の糸と糸の間の空間は、本願で記載されている形成されたメッシュの細孔とは考えられていない。図２Ａは、第１実施形態１０の第１編みピラー２０のインターレーシングによって形成された代表的な第１細孔１６を示している。図２Ｂは、第１実施形態１０の第２編みピラー２２のインターレーシングによって形成された代表的な第２細孔１８を示している。図１に示されているように、第１部分１２は、境界線１５によって示されるように、第２部分１４を取り囲んでいる。第１部分１２は、部分内に糸と糸がインターレースする追加の点を設けることによって第２の部分１４を支持するように互いに対抗して働く補強用インターレースを使用することによって第２部分１４を封入する。追加のインターレースの第１部分１２は、切断された糸または端を吸収することによるほつれを緩和または防止し、インターレーシングの点または節点内に張力を吸収することによる更なるほつれを防止し、ほつれた糸の端の更なるほつれを防止する。
【００２４】
第１細孔１６がより小さく、固定領域に亘ってインターレーシングの数がより多いので、第１部分１２は、第２部分１４より大きい密度を有する。第１実施形態１０では、第１部分１２のインターレーシングの数は、１インチ(25.4mm)当たり約２６個であるのに対して、第２部分のインターレーシングの数は、１インチ(25.4mm)当たり約１４個である。それ故、第１部分１２は、第２部分１４よりも大きい重量を有する。
【００２５】
第１実施形態１０についていくつかの試験を行った。その結果は、以下の表Ａに示されている。
2016518533.tif 000003
【００２６】
以下の表Ｃは、ポンド(1lb＝0.435kg))対伸びの第１実施形態１０の第１部分１２および第２部分１４の伸びデータを提供する。グラフでわかるように、第１部分は、第２部分に比べて、一定の率に対しより長い時間引張状態で一体性を維持する。
2016518533.tif 000004
【００２７】
第２実施形態２４は、図３に示されているように、異なる縫いパターンを提供する。第２実施形態２４は、第１細孔２７を有する第１部分、および、第２細孔２９を有する第２部分２８を有する。
【００２８】
第２実施形態を作るように採用されたこの縫いパターンは、以下のとおりである。
案内バー１＝(1-0/0-1/1-0/0-1/1-2/2-1/1-2/2-1)x3//
案内バー２＝0-1/1-2/2-3/3-4/4-5/5-6/6-7/7-8/8-7/7-8/8-7/7-6/6-5/5-4/4-3/3-2/2-1/1-0/0-1/1-0/0-1/1-0//
案内バー３＝8-7/7-6/6-5/5-4/4-3/3-2/2-1/1-0/0-1/1-0/0-1/1-0/0-1/1-2/2-3/3-4/4-55-6/6-7/7-8/8-7/7-8/8-7/7-8//
【００２９】
図４は、第２実施形態２４のスレッディングレイアウトのダイアグラム図である。
【００３０】
図５は、第２実施形態２４の案内バー移動のダイアグラム図である。最後に、図６は、第１部分２６および第２部分２８をより詳細に示す第２実施形態２４の拡大図である。第１部分２６は、第２部分２８より小さい細孔寸法、および、より多い数のインターレースまたは節点を有する。第２部分は、第１部分よりも少ないインターレースを有し、より大きい細孔寸法を有する。
【００３１】
より多いインターレースまたは節点を有する領域はまた、節点の数が変化する領域と領域の間の境界において視覚的または触覚的補助として作用することができる。製作適用例では、この境界は、作業者がフレームまたは装置上にファブリック片を効率的または効果的に取り付けるのを助け、より高品質の製品を生み出す。
【００３２】
視覚的および／または触覚的補助としてより多い節点の使用は、より少ない節点またはより少ないインターレースを有するファブリックがフレームまたは他の装置上に操縦される場合の製作のすべての局面に組み込むことができる。節点がより多い補強領域は、ワイヤまたはチューブ上にファブリックを通す人に視覚的案内を提供するのを助ける。より高いインターレーシング領域は、細孔が正しく通され、かくして、製品の品質がより高いことを確実にするように作業者に視覚的案内を提供する。
【００３３】
所与のファブリックで特定の位置のインターレースの数の変化はまた、密度がより小さい領域が正しく配向されていることを確保するための視覚的補助を提供することができる。外科医は、ファブリックを見る、または、ファブリックを感じることができ、パターンによって、メッシュが正しく配向されているかどうかを決定することができる。メッシュが正しく配向されているとき、処置の成功率は増大し、かくして、患者の生活の質が向上される。
【００３４】
本願で記載されたファブリックは、織りファブリックおよび編みファブリックの両方に適用できる。編みファブリックに関して、適用例が要求するように、異なる縫いパターンを使用することができる。縫いパターンおよび密度は、強度、細孔寸法、安定性、および、伸びの編みメッシュ品質に強い影響を与える。かかる性質を変更する必要がある場合には、縫いパターンおよび／または密度が変更される。
【００３５】
図６および図７は、織り構造における第３および第４実施形態を示している。図６は、より密な織り並びにより多くのインターレーシングおよび節点を有する第１部分３２を有する第３実施形態３０を開示している。第３実施形態３０の第２部分３４は、より少ないインターレースおよび節点を備えたより大きい開放織りを有する。第３実施形態３０の第１部分３２は、1,1織りを有し、第２部分３４は、2,2織りを有する。図６はまた、第１部分３２と第２部分３４の両方の織りパターンを示している。
【００３６】
図７は、織り実施形態のもう１つの例であり、より大きな開放織りの第２部分４０を取り囲むより密な織りを有する第１部分３８を有する第４実施形態の図を提供する。図７からわかるように、第１部分３８と第２部分４０の境界は円形であるが、ファブリックの必要および機能を支援するように所望のように設計することができる。第１部分３８および第２部分４０の織りパターンもまた提供される。第４実施形態の第１部分３２は、1,1織りを有し、第２部分３４は、4,4織りを有する。
【００３７】
本実施形態の別の適用例は、細胞内成長のためのファブリック足場を作ることである。種々の細孔寸法のファブリックを構成することによって、細胞内成長を促進することができることが理解される。その結果、寸法が特別な細胞の成長を促進するように、ファブリック足場、かくして、そのファブリック足場上または内の位置を設計することができる。
【００３８】
本願で示された編みパターンは、形状が直線的であり、真っ直ぐな長さおよび幅を有することも理解すべきである。しかしながら、出願人は、上述した実施形態が、特定の適用例の所望の寸法または幅に編むことによっても作ることができるであろうことを予期している。例えば、できた片が、菱形を有することを望む場合には、その形状は、その形状をシート状のファブリックに切断すること、或いは、片を所望の形状に編むことのいずれかによって達成することができる。片が編まれる場合には、編みパターンは、菱形を作るために、テーパした部分を含む必要があるであろう。任意の数の直線または曲線形状を達成できること、および、菱形は例であり、いかなる仕方でも本願に記載された実施形態の範囲を制限することを意図しないことが理解されるであろう。
【００３９】
出願人は、本願で開示されている実施形態を作る少なくとも１つの代替的な方法があることに気が付いている。種々の数のインターレーシングを有するファブリックを作るために縫いパターンを変える代わりに、代替的方法は、より少ない節点の領域に張力をかけ、次いで、ファブリックを加熱することである。張力状態の領域は、残りのファブリックが縮み、または、後退する間に、その密度を維持し、かくして、より多くの数の節点またはインターレースを作る。この方法は、上述した種々の実施形態に適用することができる。
【００４０】
本願で使用されているように、単数形態“a”、“an”、および、“the”は、文脈が明らかに異なることを指示しない限り、複数指示も含む。かくして、例えば、「糸(a yarn)」または「細孔(a pore)」は、単一の糸または単一の細孔を意味するか、或いは、２以上の糸または細孔を意味することを意図する。さらに、「上側」、「下側」、「鉛直」、「水平」等のような用語の明細書内の使用は、互いに関して本願で記載された実施形態の部分の構造および機能を記載するために使用された便宜の語であり、いかなる仕方でも限定する用語として解釈されることを意味しない。
【符号の説明】
【００４１】
１２、２６、３２、３８  第１部分
１４、２８、３４、４０  第２部分
１６、２７  第１細孔
１８、２９  第２細孔
【図１Ａ】
2016518533.tif 000005
【図１Ｂ】
2016518533.tif 000006
【図１Ｃ】
2016518533.tif 000007
【図１Ｄ】
2016518533.tif 000008
【図１Ｅ】
2016518533.tif 000009
【図１Ｆ】
2016518533.tif 000010
【図１Ｇ】
2016518533.tif 000011
【図１Ｈ】
2016518533.tif 000012
【図２Ａ】
2016518533.tif 000013
【図２Ｂ】
2016518533.tif 000014
【図３】
2016518533.tif 000015
【図４】
2016518533.tif 000016
【図５】
2016518533.tif 000017
【図６】
2016518533.tif 000018
【図７】
2016518533.tif 000019
【図８】
2016518533.tif 000020
【誤訳訂正書】
【提出日】平成28年1月18日(2016.1.18)
【誤訳訂正１】
【訂正対象書類名】特許請求の範囲
【訂正対象項目名】全文
【訂正方法】変更
【訂正の内容】
【特許請求の範囲】
【請求項１】
多数の糸を含み、且つ、第１パターンで前記多数の糸の第１インターレーシングにより作られ、第１平均細孔寸法を有する第１ファブリック細孔を含む第１ファブリック部分と、
第２パターンで前記多数の糸の第２インターレーシングにより作られ、第２平均細孔寸法を有する第２ファブリック細孔を含む第２ファブリック部分と、含み、前記多数の糸の第１インターレーシングの数は、前記多数の糸の第２インターレーシングの数よりも多く、
前記第１ファブリック部分と前記第２ファブリック部分の間に作られた前記多数の糸の境界をさらに含み、
前記第１インターレーシングは、前記第２ファブリック部分の強度を高め、ほつれの潜在的危険を減少させる、ファブリック。
【請求項２】
前記第１ファブリック部分は、前記第２ファブリック部分を取り囲んでいる、請求項１に記載のファブリック。
【請求項３】
前記第１平均細孔寸法は、前記第２平均細孔寸法より少なくとも１００％小さい、請求項１に記載のファブリック。
【請求項４】
前記第１ファブリック部分の重量よりも少なくとも５０％大きい、請求項１に記載のファブリック。
【請求項５】
前記第１ファブリック部分の厚さは、前記第２ファブリック部分の厚さよりも少なくとも１０％大きい、請求項１に記載のファブリック。
【請求項６】
前記第１ファブリック部分の破裂強度は、前記第２ファブリック部分の破裂強度よりも少なくとも５０％大きい、請求項１に記載のファブリック。
【請求項７】
前記第１インターレーシングの数は、前記第２インターレーシングの数よりも少なくとも５０％多い、請求項１に記載のファブリック。
【請求項８】
前記第１ファブリック部分の開放領域のパーセンテージは、前記第２ファブリック部分の開放領域のパーセンテージより約７％小さい、請求項１に記載のファブリック。
【請求項９】
前記ファブリックは、編み物である、請求項１に記載のファブリック。
【請求項１０】
前記ファブリックは、織物である、請求項１に記載のファブリック。
【請求項１１】
多数の糸を準備し、
第１パターンで前記多数の糸の第１インターレーシングにより作られ、第１平均細孔寸法を有する第１ファブリック細孔を含む第１ファブリック部分を作り、
第２パターンで前記多数の糸の第２インターレーシングにより作られ、第２平均細孔寸法を有する第２ファブリック細孔を含む第２ファブリック部分を作り、前記多数の糸の第１インターレーシングの数は、前記多数の糸の第２インターレーシングの数よりも多く、
前記第１ファブリック部分と前記第２ファブリック部分の間に前記多数の糸の境界を作り、
それによって、前記第１インターレーシングは、前記第２ファブリック部分の強度を高め、ほつれの潜在的危険を減少させる、補強されたメッシュファブリックを作る方法。
【請求項１２】
前記第１ファブリック部分は、前記第２ファブリック部分を取り囲んでいる、請求項１１に記載の方法。
【請求項１３】
前記第１平均細孔寸法は、前記第２平均細孔寸法より少なくとも１００％小さい、請求項１１に記載の方法。
【請求項１４】
前記第１ファブリック部分の重量よりも少なくとも５０％大きい、請求項１１に記載の方法。
【請求項１５】
前記第１ファブリック部分の厚さは、前記第２ファブリック部分の厚さよりも少なくとも１０％大きい、請求項１１に記載の方法。
【請求項１６】
前記第１ファブリック部分の破裂強度は、前記第２ファブリック部分の破裂強度よりも少なくとも５０％大きい、請求項１１に記載の方法。
【請求項１７】
前記第１インターレーシングの数は、前記第２インターレーシングの数よりも少なくとも５０％多い、請求項１１に記載の方法。
【請求項１８】
前記第１ファブリック部分の開放領域のパーセンテージは、前記第２ファブリック部分の開放領域のパーセンテージより約７％小さい、請求項１１に記載の方法。
【請求項１９】
前記ファブリックは、編み物である、請求項１１に記載の方法。
【請求項２０】
前記ファブリックは、織物である、請求項１１に記載の方法。
【誤訳訂正２】
【訂正対象書類名】明細書
【訂正対象項目名】０００１
【訂正方法】変更
【訂正の内容】
【０００１】
本願に記載されている実施形態は、補強されたインターレース、および、少なくとも２つの異なる縫いまたは織りパターンによって作られた少なくとも２つの異なる平均細孔寸法を有するファブリックに関する。節点の間隔が変化する境界が作られる。補強されたインターレースは、インターレースにおけるより大きな細孔を補強し、ほつれまたはほぐれの潜在的危険を減少させるのを助ける。
【誤訳訂正３】
【訂正対象書類名】明細書
【訂正対象項目名】０００９
【訂正方法】変更
【訂正の内容】
【０００９】
本願で記載される実施形態は、第１パターンで糸の第１インターレーシングにより作られ、第１平均細孔寸法を有する第１ファブリック細孔を含む第１ファブリック部分を有するファブリックに関する。このファブリックはさらに、第２パターンで第２糸インターレーシングにより作られ、第２平均細孔寸法を有する第２ファブリック細孔を含む第２ファブリック部分を含む。前記糸の第１インターレーシングの数は、前記糸の第２インターレーシングの数よりも多い。前記第１糸インターレーシングは、前記第２ファブリック部分の一体性を高め、ほつれの潜在的危険を減少させる。
【誤訳訂正４】
【訂正対象書類名】明細書
【訂正対象項目名】００１５
【訂正方法】変更
【訂正の内容】
【００１５】
本願で記載される実施形態のファブリックは、第１ファブリック部分と第２ファブリック部分との間でインターレーシングの数の差を有するのがよく、前記第１インターレーシングの数は、前記第２インターレーシングの数よりも少なくとも５０％多い。
【誤訳訂正５】
【訂正対象書類名】明細書
【訂正対象項目名】００１７
【訂正方法】変更
【訂正の内容】
【００１７】
本願で記載される実施形態のファブリックは、編み物または織物であるのがよい。本願で記載される実施形態はさらに、第１パターンで糸の第１インターレーシングにより作られ、第１平均細孔寸法を有する第１ファブリック細孔を含む第１ファブリック部分を作り、第２パターンで糸の第２インターレーシングにより作られ、第２平均細孔寸法を有する第２ファブリック細孔を含む第２ファブリック部分を作り、前記糸の第１インターレーシングの数は、前記糸の第２インターレーシングの数よりも多い、補強されたメッシュファブリックを作る方法を提供する。
【誤訳訂正６】
【訂正対象書類名】明細書
【訂正対象項目名】００３５
【訂正方法】変更
【訂正の内容】
【００３５】
図７および図８は、織り構造における第３および第４実施形態を示している。図７は、より密な織り並びにより多くのインターレーシングおよび節点を有する第１部分３２を有する第３実施形態３０を開示している。第３実施形態３０の第２部分３４は、より少ないインターレースおよび節点を備えたより大きい開放織りを有する。第３実施形態３０の第１部分３２は、1,1織りを有し、第２部分３４は、2,2織りを有する。図６はまた、第１部分３２と第２部分３４の両方の織りパターンを示している。
【誤訳訂正７】
【訂正対象書類名】明細書
【訂正対象項目名】００３６
【訂正方法】変更
【訂正の内容】
【００３６】
図８は、織り実施形態のもう１つの例３６であり、より大きな開放織りの第２部分４０を取り囲むより密な織りを有する第１部分３８を有する第４実施形態の図を提供する。図８からわかるように、第１部分３８と第２部分４０の境界は円形であるが、ファブリックの必要および機能を支援するように所望のように設計することができる。第１部分３８および第２部分４０の織りパターンもまた提供される。第４実施形態３６の第１部分３２は、1,1織りを有し、第２部分３４は、4,4織りを有する。
【国際調査報告】
2016518533.tif 000021